(57)【要約】【課題】使用済みの樹脂フィルムに付いた泥等を洗浄水を使わないでも十分に洗浄できる乾式洗浄機を提供する。【解決手段】樹脂フィルムの洗浄機１において、洗浄室１０を画成する洗浄ケース２と、洗浄室１０に樹脂フィルムを投入する投入口７と、洗浄室１０にて回転する公転フレーム３と、この公転フレーム３の回転に伴って公転フレーム３に対して回転する８本の自転ブラシ４と、洗浄室１０から樹脂フィルムを排出する排出口８とを備える。【選択図】    図１
2004202300.tif 000002
【特許請求の範囲】
【請求項１】
洗浄室を画成する洗浄ケースと、洗浄室に樹脂フィルムを投入する投入口と、洗浄室にて回転する公転フレームと、この公転フレームの回転に伴って公転フレームに対して回転する自転ブラシと、洗浄室から樹脂フィルムを排出する排出口とを備えたことを特徴とする樹脂フィルムの洗浄機。
【請求項２】
前記自転ブラシが洗浄ケースに摺接して回転する構成としたことを特徴とする請求項１に記載の樹脂フィルムの洗浄機。
【請求項３】
前記洗浄ケースに結合されるリングギアと、このリングギアに噛み合い前記自転ブラシの回転軸に結合される第一ギアと、この第一ギアに噛み合い自転ブラシの回転軸に結合される第二ギアとを備えたことを特徴とする請求項１に記載の樹脂フィルムの洗浄機。
【請求項４】
前記公転フレームと共に回転する攪拌羽根を備え、この攪拌羽根によって前記洗浄室の空気を攪拌する構成としたことを特徴とする請求項１から３のいずれか一つに記載の樹脂フィルムの洗浄機。
【発明の詳細な説明】
【０００１】
【発明の属する技術分野】
本発明は、樹脂フィルムを再利用するための洗浄機に関するものである。
【０００２】
【従来の技術】
畑等で使用された使用済みの農業用のポリエチレン製フィルム、ビニール製フィルム等を再生する場合、フィルムに付いた泥等の汚れを洗浄する必要があった。
【０００３】
従来、この種の再生装置として、図４に示すように、破砕されたフィルム廃棄物から汚泥等の異物を分離除去する水洗式の洗浄機１０１を備えるものがあった。この洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、投入されたフィルム片が水槽１０２内の洗浄液と一緒に旋回流動し、フィルム廃棄物に付いた汚れを落とすようになっている。
【０００４】
【特許文献１】
特開２００１−１７０９３７号公報
【０００５】
【発明が解決しようとする課題】
しかしながら、このような水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００６】
また、従来、洗浄水を使わない乾式の洗浄機として、多数のピンが突出した回転体を備え、ピンが樹脂フィルムに衝突する衝撃力によって汚れを剥離させるものがあった。
【０００７】
しかしながら、この場合、厚みのあるビニール製フィルム等に付着した汚れを十分に落とすことができないという問題点があった。
【０００８】
本発明は上記の問題点に鑑みてなされたものであり、使用済みの樹脂フィルムに付いた泥等を洗浄水を使わないでも十分に洗浄できる洗浄機を提供することを目的とする。
【０００９】
【課題を解決するための手段】
第１の発明は、樹脂フィルムの洗浄機において、洗浄室を画成する洗浄ケースと、洗浄室に樹脂フィルムを投入する投入口と、洗浄室にて回転する公転フレームと、この公転フレームの回転に伴って公転フレームに対して回転する自転ブラシと、洗浄室から樹脂フィルムを排出する排出口とを備えたことを特徴とするものとした。
【００１０】
第２の発明は、第１の発明において、自転ブラシが洗浄ケースに摺接して回転する構成としたことを特徴とするものとした。
【００１１】
第３の発明は、第１の発明において、洗浄ケースに結合されるリングギアと、このリングギアに噛み合い自転ブラシの回転軸に結合される第一ギアと、この第一ギアに噛み合い自転ブラシの回転軸に結合される第二ギアとを備えたことを特徴とするものとした。
【００１２】
第４の発明は、第１から第３のいずれか一つの発明において、公転フレームと共に回転する攪拌羽根を備え、この攪拌羽根によって洗浄室の空気を攪拌する構成としたことを特徴とするものとした。
【００１３】
【発明の作用および効果】
第１の発明によると、投入口から投入される樹脂フィルムは、公転フレームに対して相対回転する自転ブラシから摩擦力が繰り返し与えられることによってそ表面に付いた汚れが効果的に掻き落とされる。これにより、例えば畑で使用された樹脂フィルム等の汚れを洗浄水を使わないでも十分に落とすことが可能となる。
【００１４】
第２の発明によると、自転ブラシが洗浄ケースに摺接しながら回転することにより、樹脂フィルムには自転ブラシと洗浄ケースの間で摩擦力が繰り返し与えられることによって樹脂フィルムに付いた汚れが十分に掻き落とされる。
【００１５】
第３の発明によると、各自転ブラシを互い逆回転させることにより、樹脂フィルムに付いた汚れが十分に掻き落とされる。
【００１６】
第４の発明によると、洗浄室の樹脂フィルムが攪拌羽根によって攪拌されることにより、樹脂フィルムが洗浄室の底部に留まることなく、自転ブラシによって樹脂フィルムに付いた汚れが十分に掻き落とされる。
【００１７】
【発明の実施の形態】
以下、本発明の実施の形態を添付図面に基づいて説明する。
【００１８】
図１、図２は本発明の樹脂フィルムの乾式洗浄機１を示し、この洗浄機１は使用済みの農業用のポリエチレン製フィルム、ビニール製フィルム等の樹脂フィルムを再生する再生装置に備えられる。この再生装置は、図示しない粉砕器によってある程度の大きさに破砕された樹脂フィルムが洗浄機１に投入され、洗浄機１によって樹脂フィルムに付いた泥等が分離され、各洗浄機１から排出された後に所定の処理行程を経て再生材料がつくられる。
【００１９】
洗浄機１は、洗浄室１０を画成する洗浄ケース２と、洗浄室１０に樹脂フィルムを投入する投入口７と、洗浄室１０にて回転する公転フレーム３と、この公転フレーム３の回転に伴って公転フレーム３に対して回転する８本の自転ブラシ４と、洗浄室１０から樹脂フィルムを排出する排出口８とを備える。
【００２０】
円筒状の洗浄ケース２はその両端に端板１１，１２が結合され、その内側に洗浄室１０が画成される。投入口７を画成する管１９は端板１１を貫通して設けられる。排出口８は洗浄ケース２の下部に開口している。洗浄ケース２には排出口８を開閉する蓋１３がヒンジ１４を介して連結される。
【００２１】
公転フレーム３は洗浄ケース２に対して回転可能に支持される回転軸１５と、この回転軸１５に結合される円盤１６と、環状の円盤１７と、各円盤１６，１７を連結する複数のビーム１８とを備える。回転軸１５は図示しないモータから回転が伝達され、公転フレーム３を洗浄ケース２に対して回転させる。回転軸１５は略水平方向に延びるように配置される。
【００２２】
各自転ブラシ４は回転軸２１と、この回転軸２１から径方向に突出する多数のブラシ毛からなる。回転軸２１の両端部は軸受２２，２３を介して円盤１６，１７に回転可能に支持される。各回転軸２１は略水平方向に延びるように配置される。
【００２３】
自転ブラシ４のブラシ毛は例えば合成樹脂材料よりなり、その弾性復元力により洗浄ケース２の内周面に押し付けられ、摺接するようになっている。
【００２４】
以上のように構成されて、次に作用について説明する。
【００２５】
所定量の樹脂フィルムの破砕片を投入口７から洗浄室１０に投入した後、公転フレーム３を回転させ、各自転ブラシ４が洗浄ケース２に摺接しながら回転する。洗浄室１０で樹脂フィルムは、各自転ブラシ４と洗浄ケース２の間で摩擦力が繰り返し与えられることによって樹脂フィルムに付いた汚れが十分に掻き落とされる。
【００２６】
こうして洗浄室１０にて洗浄された樹脂フィルムは排出口８から排出された後、図示しない送りブロアを介してサイクロンに送られ、樹脂フィルムから分離した泥や塵埃が遠心力によって取り除かれた後、所定の処理行程を経て再生材料となる。
【００２７】
次に図３、図４に示す他の実施の形態を説明する。なお、前記実施の形態と同一構成部には同一符号を付す。
【００２８】
洗浄機１は、洗浄室１０に樹脂フィルムを投入する投入口７と、洗浄室１０にて回転する公転フレーム３と、この公転フレーム３の回転に伴って公転フレーム３に対して回転する４の自転ブラシ５，６と、洗浄室１０から樹脂フィルムを排出する排出口８とを備える。
【００２９】
円筒状の洗浄ケース２はその両端に端板１１，１２が結合され、その内側に洗浄室１０が画成される。投入口７を画成する管１９は洗浄ケース２に接続される。排出口８は下側の端板１２に開口している。洗浄ケース２には排出口８を開閉する蓋１３がヒンジ１４を介して連結される。
【００３０】
公転フレーム３は洗浄ケース２に対して回転可能に支持される回転軸１５と、この回転軸１５に結合される円盤１６とを備える。回転軸１５は図示しないモータから回転が伝達され、公転フレーム３を洗浄ケース２に対して回転させる。回転軸１５は略垂直方向に延びるように配置される。
【００３１】
各自転ブラシ５，６は回転軸３１，３２と、この回転軸３１，３２から径方向に突出する多数のブラシ毛からなる。回転軸３１，３２の途中は軸受３４，３５を介して円盤１６に回転可能に支持される。各回転軸３１，３２は略垂直方向に延びるように配置される。
【００３２】
各回転軸３１，３２の端部には第一、第二ギア３６，３７が結合され、第一、第二ギア３６，３７は互いに噛み合う。洗浄ケース２にはリングギア３８が結合され、このリングギア３８に第一ギア３６が噛み合う。これにより、図４に示すように、公転フレーム３が洗浄ケース２に対して回転するのに伴って、リングギア３８及び第一、第二ギア３６，３７を介して各自転ブラシ５，６が互いに逆回転する。
【００３３】
回転軸１５の下端部には攪拌羽根４０が結合される。この攪拌羽根４０は公転フレーム３と共に回転し、洗浄室１０の空気を攪拌する。攪拌羽根４０は各自転ブラシ５，６の間に配置される。
【００３４】
以上のように構成されて、次に作用について説明する。
【００３５】
所定量の樹脂フィルムの破砕片を投入口７から洗浄室１０に投入した後、公転フレーム３を回転させ、各自転ブラシ５，６を公転フレーム３に対して回転させる。洗浄室１０で樹脂フィルムは、互いに噛み合いながら逆回転する各自転ブラシ５，６の間で摩擦力が繰り返し与えられることにより樹脂フィルムに付いた汚れが十分に掻き落とされる。
【００３６】
洗浄室１０の樹脂フィルムが攪拌羽根４０によって攪拌されることにより、樹脂フィルムが洗浄室１０の底部に留まることなく、各自転ブラシ５，６の間で摩擦力が繰り返し与えられることによって樹脂フィルムに付いた汚れが十分に掻き落とされる。
【００３７】
こうして洗浄室１０にて洗浄された樹脂フィルムは排出口８から排出された後、図示しない送りブロアを介してサイクロンに送られ、樹脂フィルムから分離した泥や塵埃が遠心力によって取り除かれた後、所定の処理行程を経て再生材料となる。
【００３８】
本発明は上記の実施の形態に限定されずに、その技術的な思想の範囲内において種々の変更がなしうることは明白である。
【図面の簡単な説明】
【図１】本発明の実施の形態を示す洗浄機の側方断面図。
【図２】同じく洗浄機の正面断面図。
【図３】他の実施の形態を示す洗浄機の側方断面図。
【図４】同じく洗浄平面正面断面図。
【図５】従来例を示す樹脂フィルムの洗浄機の断面図。
【符号の説明】
１  洗浄機
２  洗浄ケース
３  公転フレーム
４〜６  自転ブラシ
７  投入口
８  排出口
１０  洗浄室
３６  第一ギア
３６  第二ギア
３８  リングギア
４０  攪拌羽根
【図１】
2004202300.tif 000003
【図２】
2004202300.tif 000004
【図３】
2004202300.tif 000005
【図４】
2004202300.tif 000006
【図５】
2004202300.tif 000007